(57)【特許請求の範囲】
【請求項１】
空気は通すと共に、捕集対象物が捕集される捕集手段と、
前記捕集手段で捕集対象物が捕集される捕集面を内側として、前記捕集手段の折り畳みが行われると共に、前記捕集面を空気の流れる方向の上流側で上面に向けて前記捕集手段の展開が行われる折り曲げ手段と、
フィルタ取付部に設けられた展開手段により前記捕集手段を展開させる誘導手段と、
前記捕集手段を折り畳まれた状態で保持する保持手段とを備え、
前記捕集手段は、前記折り曲げ手段を折り目として展開されると共に折り畳まれる第１の捕集部及び第２の捕集部と、前記第１の捕集部と前記第２の捕集部の一方の側端を繋ぐ第１の折り曲げ側部と、他方の側端を繋ぐ第２の折り曲げ側部を備え、
前記捕集手段は、前記第１の捕集部と前記第２の捕集部に前記誘導手段が形成され、前記捕集手段が折り畳まれた状態で前記フィルタ取付部に挿入される動作で、前記捕集手段の挿入方向に沿って幅が広がる形状を有した前記展開手段が前記誘導手段の間に入り込むことによって、前記第１の捕集部と前記第２の捕集部が展開されると共に、前記第１の折り曲げ側部と前記第２の折り曲げ側部が展開され、
折り畳まれた形態の前記捕集手段の挿入及び抜き取りが可能な形状を有し、前記フィルタ取付部に設けられた折り畳み手段から、前記捕集手段が、前記第１の捕集部と前記第２の捕集部を折り畳んで前記フィルタ取付部から取り外す動作で抜き取られることで、前記第１の折り曲げ側部と前記第２の折り曲げ側部が折り畳まれて前記第１の捕集部と前記第２の捕集部が閉じられ、前記捕集手段が折り畳まれた状態で前記保持手段で保持される
ことを特徴とするフィルタ。
【請求項２】
前記保持手段は、前記捕集手段を折り畳まれた形態で保持する磁石で構成される
ことを特徴とする請求項１記載のフィルタ。
【請求項３】
前記捕集手段は、前記第１の捕集部に対して着脱可能に構成される第１の枠部と、前記第２の捕集部に対して着脱可能に構成される第２の枠部を備え、
前記第１の枠部の端部と前記第２の枠部の端部に前記誘導手段が形成される
ことを特徴とする請求項１または請求項２記載のフィルタ。
【請求項４】
空気が通る風路と、
前記風路で空気の流れを生じさせる送風手段と、
前記風路に取り付けられるフィルタと、
前記フィルタが着脱自在に取り付けられるフィルタ取付部を備え、
前記フィルタは、
空気は通すと共に、捕集対象物が捕集される捕集手段と、
前記捕集手段で捕集対象物が捕集される捕集面を内側として、前記捕集手段の折り畳みが行われると共に、前記捕集面を空気の流れる方向の上流側で上面に向けて前記捕集手段の展開が行われる折り曲げ手段と、
前記捕集手段を展開させる誘導手段と、
前記捕集手段を折り畳まれた状態で保持する保持手段とを備え、
前記捕集手段は、前記折り曲げ手段を折り目として展開されると共に折り畳まれる第１の捕集部及び第２の捕集部と、前記第１の捕集部と前記第２の捕集部の一方の側端を繋ぐ第１の折り曲げ側部と、他方の側端を繋ぐ第２の折り曲げ側部を備え、
前記フィルタ取付部は、
前記捕集手段の挿入方向に沿って幅が広がる形状を有し、前記フィルタが挿入される動作で、前記第１の捕集部と前記第２の捕集部に形成された前記誘導手段の間に入り込むことによって、前記第１の捕集部と前記第２の捕集部を展開させると共に、前記第１の折り曲げ側部と前記第２の折り曲げ側部を展開させる展開手段と、
折り畳まれた形態の前記捕集手段の挿入及び抜き取りが可能な形状を有し、前記第１の捕集部と前記第２の捕集部を折り畳んで前記フィルタを取り外す動作で、前記第１の折り曲げ側部と前記第２の折り曲げ側部を折り畳んで前記第１の捕集部と前記第２の捕集部を前記折り曲げ手段で折り畳み、前記捕集手段を折り畳まれた状態で前記保持手段で保持させる折り畳み手段を備えた
ことを特徴とする換気装置。
【発明の詳細な説明】
【技術分野】
【０００１】
本発明は、風路中に配置されて捕集対象物を捕集するフィルタ、及びこのフィルタを備えた換気装置に関する。
【背景技術】
【０００２】
外気を導入し室内に給気する第１種および第２種と称される換気装置では、外気導入時に虫等の捕集対象物が装置内に取り込まれることがある。このため、装置内にフィルタを設け、捕集対象物をフィルタで捕集して、室内に入り込まないようにしている。
【０００３】
従来から、フィルタは装置本体に対して着脱可能な構成で、フィルタで捕集した捕集対象物を受ける受け皿を設けた構成が提案されている（例えば、特許文献１参照）。また、フィルタを折り畳み可能として、捕集対象物の落下を防止できるようにした構成が提案されている（例えば、特許文献２参照）。
【先行技術文献】
【特許文献】
【０００４】
【特許文献１】特開２００４−３４０５０８号公報
【特許文献２】特開平０９−２５７３３５号公報
【発明の概要】
【発明が解決しようとする課題】
【０００５】
しかし、フィルタに受け皿を設けた構成では、フィルタを着脱する際に、受け皿で捕集した捕集対象部の露出や飛散を防止できない。また、フィルタを折り畳み可能とする構成では、フィルタの折り畳み時に捕集対象物の落下を確実に防止できない。
【０００６】
本発明は、このような課題を解決するためになされたもので、捕集対象物の飛散や落下を確実に防止して着脱が可能なフィルタ及びフィルタを備えた換気装置を提供することを目的とする。
【課題を解決するための手段】
【０００７】
上述した課題を解決するため、本発明は、空気は通すと共に、捕集対象物が捕集される捕集手段と、捕集手段で捕集対象物が捕集される捕集面を内側として、捕集手段の折り畳みが行われると共に、捕集面を空気の流れる方向の上流側で上面に向けて捕集手段の展開が行われる折り曲げ手段と、フィルタ取付部に設けられた展開手段により捕集手段を展開させる誘導手段と、捕集手段を折り畳まれた状態で保持する保持手段とを備え、捕集手段は、折り曲げ手段を折り目として展開されると共に折り畳まれる第１の捕集部及び第２の捕集部と、第１の捕集部と第２の捕集部の一方の側端を繋ぐ第１の折り曲げ側部と、他方の側端を繋ぐ第２の折り曲げ側部を備え、捕集手段は、第１の捕集部と第２の捕集部に誘導手段が形成され、捕集手段が折り畳まれた状態でフィルタ取付部に挿入される動作で、捕集手段の挿入方向に沿って幅が広がる形状を有した展開手段が誘導手段の間に入り込むことによって、第１の捕集部と第２の捕集部が展開されると共に、第１の折り曲げ側部と第２の折り曲げ側部が展開され、折り畳まれた形態の捕集手段の挿入及び抜き取りが可能な形状を有し、フィルタ取付部に設けられた折り畳み手段から、捕集手段が、第１の捕集部と第２の捕集部を折り畳んでフィルタ取付部から取り外す動作で抜き取られることで、第１の折り曲げ側部と第２の折り曲げ側部が折り畳まれて第１の捕集部と第２の捕集部が閉じられ、捕集手段が折り畳まれた状態で前記保持手段で保持されるフィルタである。
【０００８】
また、本発明は、空気が通る風路と、風路で空気の流れを生じさせる送風手段と、風路に取り付けられるフィルタと、フィルタが着脱自在に取り付けられるフィルタ取付部を備え、フィルタは、空気は通すと共に、捕集対象物が捕集される捕集手段と、捕集手段で捕集対象物が捕集される捕集面を内側として、捕集手段の折り畳みが行われると共に、捕集面を空気の流れる方向の上流側で上面に向けて捕集手段の展開が行われる折り曲げ手段と、捕集手段を展開させる誘導手段と、捕集手段を折り畳まれた状態で保持する保持手段とを備え、捕集手段は、折り曲げ手段を折り目として展開されると共に折り畳まれる第１の捕集部及び第２の捕集部と、第１の捕集部と第２の捕集部の一方の側端を繋ぐ第１の折り曲げ側部と、他方の側端を繋ぐ第２の折り曲げ側部を備え、フィルタ取付部は、捕集手段の挿入方向に沿って幅が広がる形状を有し、フィルタが挿入される動作で、第１の捕集部と第２の捕集部に形成された誘導手段の間に入り込むことによって、第１の捕集部と第２の捕集部を展開させると共に、第１の折り曲げ側部と第２の折り曲げ側部を展開させる展開手段と、折り畳まれた形態の捕集手段の挿入及び抜き取りが可能な形状を有し、第１の捕集部と第２の捕集部を折り畳んでフィルタを取り外す動作で、第１の折り曲げ側部と第２の折り曲げ側部を折り畳んで第１の捕集部と第２の捕集部を折り曲げ手段で折り畳み、捕集手段を折り畳まれた状態で保持手段で保持させる折り畳み手段を備えた換気装置である。
【０００９】
本発明では、フィルタがフィルタ取付部に取り付けられると、捕集手段が展開することで、風路を通る空気は通すと共に、捕集対象物は捕集手段で捕集される。捕集対象物を捕集したフィルタは、フィルタ取付部から取り外す動作で、捕集対象物が捕集された捕集面を内側として捕集手段が折り畳まれる。フィルタは、捕集面が上面を向けて取り付けられることで、捕集手段を折り畳む動作でも、捕集対象物が捕集面から外部に落下することが防止される。
【発明の効果】
【００１０】
本発明によれば、捕集対象物を捕集したフィルタは、捕集対象物が捕集された捕集面を内側として捕集手段が折り畳まれることで、捕集対象部の露出や飛散を防止することができ、フィルタのメンテナンスを容易に行うことができる。
【図面の簡単な説明】
【００１１】
【図１】本実施の形態の捕集フィルタの一例を示す斜視図である。
【図２】本実施の形態の捕集フィルタの一例を示す正面図である。
【図３】本実施の形態の捕集フィルタの一例を示す平面図である。
【図４】本実施の形態の捕集フィルタの一例を示す側面図である。
【図５】本実施の形態の捕集フィルタの枠部を分解した状態を示す斜視図である。
【図６】本実施の形態の捕集フィルタの枠部を分解した状態を示す正面図である。
【図７】本実施の形態の捕集フィルタの枠部を分解した状態を示す平面図である。
【図８】本実施の形態の捕集フィルタの枠部を分解した状態を示す側面図である。
【図９】本実施の形態の捕集フィルタが折り畳まれた状態を示す斜視図である。
【図１０】本実施の形態の捕集フィルタが折り畳まれた状態を示す斜視図である。
【図１１】本実施の形態の捕集フィルタが折り畳まれた状態を示す斜視図である。
【図１２】本実施の形態の捕集フィルタが取り付けられるフィルタ取付部の一例を示す斜視図である。
【図１３】本実施の形態のフィルタ取付部の一例を示す正面図である。
【図１４】本実施の形態のフィルタ取付部の一例を示す平面図である。
【図１５】本実施の形態の枠部の一例を示す斜視図である。
【図１６】本実施の形態の枠部の一例を示す正面図である。
【図１７】本実施の形態の枠部の一例を示す平面図である。
【図１８】本実施の形態の枠部の一例を示す底面図である。
【図１９】本実施の形態の枠部の一例を示す側面図である。
【図２０】捕集フィルタが取り付けられたフィルタ取付部の一例を示す斜視図である。
【図２１】捕集フィルタが取り付けられたフィルタ取付部の一例を示す正面図である。
【図２２】捕集フィルタが取り付けられたフィルタ取付部の一例を示す平面図である。
【図２３】捕集フィルタの取付工程を示すフィルタ取付部の一例を示す斜視図である。
【図２４】捕集フィルタの取付途中の工程を示すフィルタ取付部の一例を示す斜視図である。
【図２５】捕集フィルタの取付途中の工程を示すフィルタ取付部の一例を示す正面図である。
【図２６】捕集フィルタの取付途中の工程を示すフィルタ取付部の一例を示す平面図である。
【図２７】本実施の形態の熱交換型換気装置の一例を示す断面図である。
【図２８】本実施の形態の熱交換型換気装置の一例を示す断面図である。
【図２９】本実施の形態の熱交換型換気装置の一例を示す正面図である。
【図３０】本実施の形態の熱交換型換気装置の一例を示す平面図である。
【図３１】本実施の形態の熱交換型換気装置が設置される建物の一例を示す模式的な構成図である。
【図３２】本実施の形態の換気装置の他の例を示す断面図である。
【発明を実施するための形態】
【００１２】
以下、図面を参照して、本発明のフィルタ及びフィルタを備えた換気装置の実施の形態について説明する。
【００１３】
＜本実施の形態の捕集フィルタの構成例＞
図１は、本実施の形態の捕集フィルタの一例を示す斜視図、図２は、本実施の形態の捕集フィルタの一例を示す正面図、図３は、本実施の形態の捕集フィルタの一例を示す平面図、図４は、本実施の形態の捕集フィルタの一例を示す側面図である。
【００１４】
また、図５は、本実施の形態の捕集フィルタの枠部を分解した状態を示す斜視図、図６は、本実施の形態の捕集フィルタの枠部を分解した状態を示す正面図、図７は、本実施の形態の捕集フィルタの枠部を分解した状態を示す平面図、図８は、本実施の形態の捕集フィルタの枠部を分解した状態を示す側面図である。
【００１５】
更に、図９〜図１１は、本実施の形態の捕集フィルタが折り畳まれた状態を示す斜視図である。
【００１６】
また、図１２は、本実施の形態の捕集フィルタが取り付けられるフィルタ取付部の一例を示す斜視図、図１３は、本実施の形態のフィルタ取付部の一例を示す正面図、図１４は、本実施の形態のフィルタ取付部の一例を示す平面図である。
【００１７】
本実施の形態の捕集フィルタ１Ａはフィルタの一例で、図１２等に示すように、風路１０に設けたフィルタ取付部１１に着脱可能に取り付けられる。捕集フィルタ１Ａは、フィルタ取付部１１に取り付ける動作で、風路１０内で展開する。また、風路１０内で折り畳まれて、フィルタ取付部１１から取り外される。
【００１８】
捕集フィルタ１Ａは、捕集対象物を捕集すると共に、捕集した捕集対象物を閉じ込めて廃棄可能に構成される捕集手段を構成する捕集部２０と、捕集部２０をフィルタ取付部１１に取り付けると共に、捕集部２０に対して着脱可能に構成されて再利用される第１の枠部２１ａと第２の枠部２１ｂを備える。
【００１９】
捕集部２０は、捕集対象物の大きさに合わせた網目状の部材等により構成され、捕集対象物である虫等は捕集し空気は通すフィルタ部２２を有した第１の捕集部２３ａと第２の捕集部２３ｂを備える。捕集部２０は、廃棄が容易な材質で構成され、例えば紙で構成される。また、フィルタ部２２は樹脂で構成し、他の部品を紙で構成しても良いし、全体を樹脂で構成しても良い。更に、不織布で構成しても良い。
【００２０】
第１の捕集部２３ａと第２の捕集部２３ｂは、直線状の折り目で構成される折り曲げ底部２４で、一方の端部である下端が繋がる。本例では、第１の捕集部２３ａと第２の捕集部２３ｂの形状が略長方形で、第１の捕集部２３ａと第２の捕集部２３ｂは、長手方向の辺である２つの長辺の一方で繋がり、長手方向に沿った折り目で折り曲げ手段としての折り曲げ底部２４が形成される。
【００２１】
そして、第１の捕集部２３ａと第２の捕集部２３ｂは、捕集対象物が捕集される捕集面２３が内側となるように、長辺の他方である上端が開閉するようないわゆる谷折りで、折り曲げ底部２４を折り目として折り畳み及び展開可能に構成される。
【００２２】
捕集部２０は、折り曲げ底部２４を折り目として折り畳まれた第１の捕集部２３ａと第２の捕集部２３ｂが重なって、捕集対象物を閉じ込められるように、第１の捕集部２３ａと第２の捕集部２３ｂが例えば同じ大きさで同じ形状に構成される。
【００２３】
捕集部２０は、折り曲げ底部２４を折り目として展開されると共に折り畳まれる第１の捕集部２３ａと第２の捕集部２３ｂの一方の側端を繋ぐ第１の折り曲げ側部２５と、他方の側端を繋ぐ第２の折り曲げ側部２６を備える。
【００２４】
第１の折り曲げ側部２５の形状は、本例では略逆三角形であり、第１の折り曲げ側部２５は、下端の頂点が折り曲げ底部２４の一方の端部と繋がる。
【００２５】
また、第１の折り曲げ側部２５は、下端の頂点を挟んだ一辺が、直線状の折り目で構成される折り曲げ部２５ａで第１の捕集部２３ａの一方の短辺と繋がり、下端の頂点を挟んだもう一辺が、直線状の折り目で構成される折り曲げ部２５ｂで第２の捕集部２３ｂの一方の短辺と繋がる。
【００２６】
更に、第１の折り曲げ側部２５は、下端の頂点と対辺である上端の辺との間に、直線状の折り目で構成される折り曲げ部２５ｃが形成される。
【００２７】
第２の折り曲げ側部２６の形状は、本例では略逆三角形であり、第２の折り曲げ側部２６は、下端の頂点が折り曲げ底部２４の他方の端部と繋がる。
【００２８】
また、第２の折り曲げ側部２６は、下端の頂点を挟んだ一辺が、直線状の折り目で構成される折り曲げ部２６ａで第１の捕集部２３ａの他方の短辺と繋がり、下端の頂点を挟んだもう一辺が、直線状の折り目で構成される折り曲げ部２６ｂで第２の捕集部２３ｂの他方の短辺と繋がる。
【００２９】
更に、第２の折り曲げ側部２６は、下端の頂点と対辺である上端の辺との間に、直線状の折り目で構成される折り曲げ部２６ｃが形成される。
【００３０】
捕集部２０は、捕集フィルタ１Ａをフィルタ取付部１１に取り付ける動作で、第１の捕集部２３ａと第２の捕集部２３ｂが展開できるようにするため、第１の折り曲げ側部２５の上端の辺の上側に展開誘導部２６ｄを備える。
【００３１】
展開誘導部２６ｄは、第１の折り曲げ側部２５の上端の辺と第１の捕集部２３ａの一方の短辺の上端及び第２の捕集部２３ｂの一方の短辺の上端との間に段差を設けて構成され、第１の折り曲げ側部２５の上端の辺の上側で、第１の捕集部２３ａの一方の短辺及び第２の捕集部２３ｂの一方の短辺との間に開口が形成される。
【００３２】
なお、捕集部２０は、第２の折り曲げ側部２６の上端の辺が、第１の捕集部２３ａの他方の短辺の上端及び第２の捕集部２３ｂの他方の短辺の上端と繋がる形態である。
【００３３】
捕集部２０は、折り曲げ底部２４を折り目として折り畳まれる第１の捕集部２３ａと第２の捕集部２３ｂが展開されると、折り曲げ部２５ｃを折り目として折り畳まれる第１の折り曲げ側部２５と、折り曲げ部２６ｃを折り目として折り畳まれる第２の折り曲げ側部２６が、平面状に展開される形態となる。
【００３４】
また、第１の折り曲げ側部２５が展開されることで、第１の捕集部２３ａと第１の折り曲げ側部２５が、折り曲げ部２５ａを折り目として直交するように折れ曲がる形態となり、第２の捕集部２３ｂと第１の折り曲げ側部２５が、折り曲げ部２５ｂを折り目として直交するように折れ曲がる形態となる。
【００３５】
同様に、第２の折り曲げ側部２６が展開されることで、第１の捕集部２３ａと第２の折り曲げ側部２６が、折り曲げ部２６ａを折り目として直交するように折れ曲がる形態となり、第２の捕集部２３ｂと第２の折り曲げ側部２６が、折り曲げ部２６ｂを折り目として直交するように折れ曲がる形態となる。
【００３６】
これにより、捕集部２０は、第１の捕集部２３ａと第２の捕集部２３ｂがＶ字形状に展開されると共に、第１の捕集部２３ａと第２の捕集部２３ｂの一方の側端が、展開された第１の折り曲げ側部２５で塞がれ、第１の捕集部２３ａと第２の捕集部２３ｂの他方の側端が、展開された第２の折り曲げ側部２６で塞がれる。
【００３７】
一方、捕集部２０は、折り曲げ底部２４を折り目として第１の捕集部２３ａと第２の捕集部２３ｂが折り畳まれると、第１の折り曲げ側部２５が折り曲げ部２５ｃを折り目として折り畳まれる形態となり、第２の折り曲げ側部２６が折り曲げ部２６ｃを折り目として折り畳まれる形態となる。
【００３８】
また、第１の折り曲げ側部２５が折り曲げ部２５ｃで折り畳まれることで、折り曲げ部２５ａを折り目として折れ曲がる第１の捕集部２３ａと第１の折り曲げ側部２５、及び、折り曲げ部２５ｂを折り目として折れ曲がる第２の捕集部２３ｂと第１の折り曲げ側部２５が、平面状に展開される形態となる。
【００３９】
同様に、第２の折り曲げ側部２６が折り曲げ部２６ｃで折り畳まれることで、折り曲げ部２６ａを折り目として折れ曲がる第１の捕集部２３ａと第２の折り曲げ側部２６、及び、折り曲げ部２６ｂを折り目として折れ曲がる第２の捕集部２３ｂと第２の折り曲げ側部２６が、平面状に展開される形態となる。
【００４０】
これにより、捕集部２０は、第１の捕集部２３ａと第２の捕集部２３ｂが重なって折り畳まれると共に、第１の捕集部２３ａと第２の捕集部２３ｂの一方の側端が、折り畳まれた第１の折り曲げ側部２５で塞がれ、第１の捕集部２３ａと第２の捕集部２３ｂの他方の側端が、折り畳まれた第２の折り曲げ側部２６で塞がれる。
【００４１】
捕集部２０は、枠部２１が固定される溝部２７を備える。溝部２７は固定手段の一例で、本例では、第１の捕集部２３ａ及び第２の捕集部２３ｂの上端の複数個所に、所定の長さの開口を設けて構成される。
【００４２】
更に、捕集部２０は、折り曲げ底部２４で折り畳まれる第１の捕集部２３ａと第２の捕集部２３ｂを更に折り畳めるようにするため、第１の捕集部２３ａと第２の捕集部２３ｂに、長辺に直交する直線状の折り目で構成される折り曲げ部２３ｃを備える。折り曲げ部２３ｃは、本例では、第１の捕集部２３ａと第２の捕集部２３ｂの長手方向の略中間付近に形成される。
【００４３】
これにより、折り曲げ底部２４で第１の捕集部２３ａと第２の捕集部２３ｂが折り畳まれた捕集部２０は、折り曲げ部２３ｃを折り目として折り畳まれることで、第１の捕集部２３ａと第２の捕集部２３ｂの一方の側端と他方の側端が重なって、大きさが半分程度となる。
【００４４】
なお、捕集部２０は、折り曲げ底部２４で折り畳まれる第１の捕集部２３ａと第２の捕集部２３ｂを、折り畳まれた状態で保持できるようにするため、マジックテープ（登録商標）等の保持手段を備えることとしても良い。
【００４５】
図１５は、本実施の形態の枠部の一例を示す斜視図、図１６は、本実施の形態の枠部の一例を示す正面図、図１７は、本実施の形態の枠部の一例を示す平面図、図１８は、本実施の形態の枠部の一例を示す底面図、図１９は、本実施の形態の枠部の一例を示す側面図であり、次に、各図を参照して、枠部の構成について説明する。なお、図１５等では、第２の枠部２１ｂを図示しているが、第１の枠部２１ａは、第２の枠部２１ｂと対象な形状で同等な構成である。
【００４６】
第１の枠部２１ａは、第１の捕集部２３ａが嵌る溝部２８ａと、第１の捕集部２３ａの溝部２７に嵌る突起部２９ａと、捕集部２０を閉じる操作が行われる操作部３０ａと、フィルタ取付部１１に係止される係止凸部３１ａと、第１の捕集部２３ａのフィルタ部２２に合わせて形成される開口部３２ａを備える。
【００４７】
第１の枠部２１ａは、本例では耐久性等を考慮して樹脂材料で構成され、第１の捕集部２３ａの長手方向に沿った形状で、長手方向に沿って溝部２８ａが形成される。また、第１の捕集部２３ａの溝部２７の配置に合わせて突起部２９ａが形成される。
【００４８】
更に、第１の枠部２１ａは、第１の捕集部２３ａに取り付けられた状態で、捕集部２０の第１の折り曲げ側部２５側に位置する一方の端部が展開誘導部２６ｄの上側に露出し、誘導手段として誘導部３３ａが形成される。また、第１の枠部２１ａは、第１の捕集部２３ａに取り付けられた状態で、捕集部２０の第２の折り曲げ側部２６側に位置する他方の端部に、第２の折り曲げ側部２６から突出する形態で操作部３０ａが形成され、捕集部２０の上側に突出する形態で係止凸部３１ａが形成される。
【００４９】
第２の枠部２１ｂは、第１の枠部２１ａと同じ構成で表裏対称な形状を有し、第２の捕集部２３ｂが嵌る溝部２８ｂと、第２の捕集部２３ｂの溝部２７に嵌る突起部２９ｂと、捕集部２０を閉じる操作が行われる操作部３０ｂと、フィルタ取付部１１に係止される係止凸部３１ｂと、第２の捕集部２３ｂのフィルタ部２２に合わせて形成される開口部３２ｂを備える。
【００５０】
第２の枠部２１ｂは、第１の枠部２１ａと同様に樹脂材料で構成され、第２の捕集部２３ｂの長手方向に沿った形状で、長手方向に沿って溝部２８ｂが形成される。また、第２の捕集部２３ｂの溝部２７の配置に合わせて突起部２９ｂが形成される。
【００５１】
更に、第２の枠部２１ｂは、第２の捕集部２３ｂに取り付けられた状態で、捕集部２０の第１の折り曲げ側部２５側に位置する一方の端部が展開誘導部２６ｄの上側に露出し、誘導手段として誘導部３３ｂが形成される。また、第２の枠部２１ｂは、第２の捕集部２３ｂに取り付けられた状態で、捕集部２０の第２の折り曲げ側部２６側に位置する他方の端部に、第２の折り曲げ側部２６から突出する形態で操作部３０ｂが形成され、捕集部２０の上側に突出する形態で係止凸部３１ｂが形成される。
【００５２】
第１の枠部２１ａと第２の枠部２１ｂは、互いを吸着する磁石３４ａ，３４ｂを備える。磁石３４ａ，３４ｂは保持手段の一例で、第１の枠部２１ａと第２の枠部２１ｂが取り付けられた捕集部２０が折り畳まれると、磁石３４ａ，３４ｂの吸引力で第１の枠部２１ａと第２の枠部２１ｂが吸着され、捕集部２０が折り畳まれた形態で保持される。
【００５３】
次に、各図を参照して、フィルタ取付部の構成について説明する。ここで、図２０は、捕集フィルタが取り付けられたフィルタ取付部の一例を示す斜視図、図２１は、捕集フィルタが取り付けられたフィルタ取付部の一例を示す正面図、図２２は、捕集フィルタが取り付けられたフィルタ取付部の一例を示す平面図である。
【００５４】
また、図２３は、捕集フィルタの取付工程を示すフィルタ取付部の一例を示す斜視図、図２４は、捕集フィルタの取付途中の工程を示すフィルタ取付部の一例を示す斜視図、図２５は、捕集フィルタの取付途中の工程を示すフィルタ取付部の一例を示す正面図、図２６は、捕集フィルタの取付途中の工程を示すフィルタ取付部の一例を示す平面図である。
【００５５】
フィルタ取付部１１は、展開した捕集フィルタ１Ａを保持する保持部１２と、捕集フィルタ１Ａを展開する展開部１３と、捕集フィルタ１Ａの挿入及び取り外しが行われる着脱口１４を備える。
【００５６】
保持部１２は、捕集フィルタ１Ａの長手方向の長さに合わせた長さを有し、捕集フィルタ１Ａの挿入方向に対する奥側が閉塞する。また、保持部１２は、本例ではＶ字形状に展開する捕集フィルタ１Ａに合わせて、断面形状がＶ字型となる部材で構成され、第１の捕集部２３ａ及び第２の捕集部２３ｂのフィルタ部２２の配置に合わせて空気が通る開口部１２ａが形成される。
【００５７】
展開部１３は展開手段の一例で、捕集フィルタ１Ａの挿入方向に対し保持部１２の奥側に設けられ、捕集フィルタ１Ａの挿入方向に沿って幅が広がるような三角形状を有する。展開部１３は、捕集フィルタ１Ａが折り畳まれた形態でフィルタ取付部１１に挿入されると、第１の枠部２１ａの誘導部３３ａと、第２の枠部２１ｂの誘導部３３ｂの間に入り込み、捕集フィルタ１Ａの挿入に伴う捕集部２０の展開動作を誘導する。
【００５８】
着脱口１４は折り畳み手段の一例で、捕集フィルタ１Ａの挿入方向に対し保持部１２の手前側に設けられ、折り畳まれた形態の捕集フィルタ１Ａが挿入及び抜き取り可能な形状を有する。また、着脱口１４は、捕集フィルタ１Ａを展開及び折り畳む動作で移動する第１の枠部２１ａの操作部３０ａ及び第２の枠部２１ｂの操作部３０ｂの軌跡に沿った操作開口部１４ａが形成される。更に、着脱口１４は、展開した捕集フィルタ１Ａの第１の枠部２１ａの係止凸部３１ａ及び第２の枠部２１ｂの係止凸部３１が係止される係止部１４ｂが形成される。
【００５９】
フィルタ取付部１１は、着脱口１４を開閉する蓋部１５を備える。蓋部１５は、着脱口１４の形状に合わせて図示しない封止部材が取り付けられ、着脱口１４が蓋部１５で閉じられると、着脱口１４から空気が漏れることが防止される。
【００６０】
＜本実施の形態の捕集フィルタの着脱動作例＞
次に、各図を参照して、本実施の形態の捕集フィルタ１Ａの着脱動作について説明する。
【００６１】
捕集フィルタ１Ａは、例えば、捕集部２０が折り畳まれた形態で提供され、折り畳まれた形態の捕集部２０に第１の枠部２１ａと第２の枠部２１ｂが取り付けられる。
【００６２】
捕集フィルタ１Ａは、捕集部２０の第１の捕集部２３ａの溝部２７に、第１の枠部２１ａの突起部２９ａを嵌めて位置合わせを行いながら、第１の捕集部２３ａの上端に、第１の枠部２１ａの溝部２８ａを嵌めることで、第１の捕集部２３ａに第１の枠部２１ａが固定される。
【００６３】
また、捕集部２０の第２の捕集部２３ｂの溝部２７に、第２の枠部２１ｂの突起部２９ｂを嵌めて位置合わせを行いながら、第２の捕集部２３ｂの上端に、第２の枠部２１ｂの溝部２８ｂを嵌めることで、第２の捕集部２３ｂに第２の枠部２１ｂが固定される。
【００６４】
第１の枠部２１ａと第２の枠部２１ｂが捕集部２０に取り付けられた捕集フィルタ１Ａは、捕集部２０が折り畳まれた状態で、フィルタ取付部１１の着脱口１４から挿入される。
【００６５】
捕集フィルタ１Ａが折り畳まれた形態でフィルタ取付部１１に挿入されると、第１の枠部２１ａの誘導部３３ａと、第２の枠部２１ｂの誘導部３３ｂの間に展開部１３が入り込み、捕集フィルタ１Ａを挿入する動作に伴って、捕集フィルタ１Ａは、捕集部２０が第１の枠部２１ａ及び第２の枠部２１ｂの一方端部側から展開される。
【００６６】
捕集フィルタ１Ａは、挿入方向の先端側となる一方の端部がフィルタ取付部１１の奥側の端部に突き当たる位置まで挿入されると、捕集フィルタ１Ａの他方の端部が着脱口１４の内側に入り、第１の枠部２１ａの操作部３０ａ及び第２の枠部２１ｂの操作部３０ｂを、操作開口部１４ａに沿って開く方向に操作することで、捕集部２０の他方の端部側が展開される。
【００６７】
捕集部２０は、折り曲げ底部２４を折り目として折り畳まれる第１の捕集部２３ａと第２の捕集部２３ｂが展開されると、上述したように、第１の折り曲げ側部２５と第２の折り曲げ側部２６が平面状に展開される形態となる。これにより、捕集部２０は、第１の捕集部２３ａと第２の捕集部２３ｂがＶ字形状に展開される。また、第１の捕集部２３ａと第２の捕集部２３ｂの一方の側端が第１の折り曲げ側部２５で塞がれ、第１の捕集部２３ａと第２の捕集部２３ｂの他方の側端が第２の折り曲げ側部２６で塞がれる。
【００６８】
また、捕集部２０が展開されると、第１の枠部２１ａの係止凸部３１ａ及び第２の枠部２１ｂの係止凸部３１がフィルタ取付部１１の係止部１４ｂに係止されることで、展開された捕集フィルタ１Ａの移動が規制される。
【００６９】
フィルタ取付部１１は、捕集フィルタ１Ａが取り付けられて捕集部２０が展開されると、蓋部１５が閉じられる。なお、捕集フィルタ１Ａが正常に展開されていないと蓋部１５が閉まらないように、例えば、捕集フィルタ１Ａの操作部３０ａ，３０ｂが所定の位置に無い場合は、操作部３０ａ，３０ｂに当接して蓋部１５が閉まらないような構成を備えても良い。
【００７０】
捕集フィルタ１Ａが取り付けられた風路１０では、Ｖ字形状に展開された捕集フィルタ１Ａの谷側から空気が通る。風路１０内で捕集フィルタ１Ａが展開されると、風路を通る空気は第１の捕集部２３ａ及び第２の捕集部２３ｂのフィルタ部２２を通過する。一方、捕集対象物である虫等はフィルタ部２２で捕集される。
【００７１】
捕集フィルタ１Ａは、虫等の捕集対象物が捕集されるため、定期的に交換される。捕集フィルタ１Ａを交換する作業は、まず、蓋部１５を開ける。次に、着脱口１４から突出している第１の枠部２１ａの操作部３０ａと操作部３０ｂを閉じる方向に操作して、捕集部２０の他方の端部側を閉じる。
【００７２】
これにより、第１の枠部２１ａの係止凸部３１ａと第２の枠部２１ｂの係止凸部３１ｂが、フィルタ取付部１１の係止部１４ｂから外れ、操作部３０ａ及び操作部３０ｂを持って、着脱口１４から捕集フィルタ１Ａを抜き取ることが可能となる。
【００７３】
捕集フィルタ１Ａを着脱口１４から抜き取っていくと、着脱口１４は、折り畳まれた形態の捕集フィルタ１Ａが挿入及び抜き取り可能な形状を有するので、風路１０内で展開している捕集部２０は、着脱口１４の形状により閉じられる。
【００７４】
捕集部２０を閉じる動作で、折り曲げ底部２４を折り目として第１の捕集部２３ａと第２の捕集部２３ｂが折り畳まれると、上述したように、第１の折り曲げ側部２５と第１の第２の折り曲げ側部２６が折り畳まれる形態となる。これにより、捕集部２０は、第１の捕集部２３ａと第２の捕集部２３ｂが重なって折り畳まれる。また、第１の捕集部２３ａと第２の捕集部２３ｂの一方の側端が、折り畳まれた第１の折り曲げ側部２５で塞がれ、第１の捕集部２３ａと第２の捕集部２３ｂの他方の側端が、折り畳まれた第２の折り曲げ側部２６で塞がれる。
【００７５】
捕集フィルタ１Ａは、一方の端部が展開部１３から抜ける位置まで引き出されて、捕集部２０が折り畳まれると、第１の枠部２１ａと第２の枠部２１ｂは、磁石３４ａと磁石３４ｂの吸引力で吸着され、捕集部２０が閉じた状態で保持される。
【００７６】
捕集フィルタ１Ａが着脱口１４から引き出されると、捕集部２０は、捕集対象物を捕集した捕集面２３が内側となるように、第１の捕集部２３ａと第２の捕集部２３ｂが重なって折り畳まれることで、虫等の捕集対象物が露出せず、捕集対象物の飛散が防止されると共に、捕集対象物を直視することが防止される。これにより、捕集フィルタ１Ａを交換するユーザに不快感を与えることが防止される。また、捕集部２０は、捕集面２３を上向きとして取り付けられるので、折り畳む動作でも捕集対象物が落下することが防止され、装置内に虫等の捕集対象物が落下することが防止される。更に、捕集部２０は、第１の捕集部２３ａと第２の捕集部２３ｂの左右両側端が第１の折り曲げ側部２５と第２の折り曲げ側部２６で閉じられるので、捕集対象物が捕集部２０の左右両側から落下することが防止される。
【００７７】
着脱口１４から引き出された捕集フィルタ１Ａは、捕集部２０を閉じた状態として手に持ち、第１の枠部２１ａ及び第２の枠部２１ｂが取り外される。そして、第１の枠部２１ａと第２の枠部２１ｂが取り外された捕集部２０は、折り曲げ部２３ｃを折り目として折り畳まれることで、折り曲げ底部２４で折り畳まれた形態から更に半分程度の大きさとして、廃棄される。
【００７８】
このように、捕集部２０は第１の枠部２１ａ及び第２の枠部２１ｂから取り外して廃棄されることで、虫等の捕集対象物をフィルタから除去する作業は不要となる。また、捕集部２０を更に折り畳める構成とすることで、廃棄物としての大きさを小型化し、より容易な廃棄を可能とする。ここで、自治体において廃棄物の区分が異なる状況を考慮して、捕集部２０の材質を、紙で構成するもの、樹脂で構成するもの、不織布で構成するもの、これらの組み合わせで構成するもの等、複数の種類を用意しておき、ユーザが自治体の廃棄物の区分に応じて所定の材質の捕集部を選択できるようにしても良い。
【００７９】
なお、捕集部２０を展開及び折り畳む構成は、以上の例に限るものではなく、断面形状が四角形に展開される構成及び四角形に展開された部材を平面状に折り畳める構成でもよい。また、枠部と捕集部が一体とした構成でも良い。
【００８０】
＜本実施の形態の換気装置の構成例＞
図２７及び図２８は、本実施の形態の熱交換型換気装置の一例を示す断面図、図２９は、本実施の形態の熱交換型換気装置の一例を示す正面図、図３０は、本実施の形態の熱交換型換気装置の一例を示す平面図で、次に、換気装置の一例としての熱交換型換気装置の構成について説明する。
【００８１】
本実施の形態の熱交換型換気装置４Ａは、屋外から外気ＯＡを吸い込んで室内へ給気ＳＡを吹き出す給気ファン５ＳＡを本体部５に備える。また、熱交換型換気装置４Ａは、室内から還気ＲＡを吸い込んで屋外へ排気ＥＡを吹き出す排気ファン５ＥＡを本体部５に備える。更に、熱交換型換気装置４Ａは、給気ファン５ＳＡで屋外から吸い込んだ外気ＯＡと排気ファン５ＥＡで室内から吸い込んだ還気ＲＡとの間で熱交換を行う熱交換素子６を本体部５に備える。
【００８２】
熱交換素子６は、給気側の熱交換風路を構成する素材と排気側の熱交換風路を形成する素材が、風路を直交する向きとして積層された直方体形状である。熱交換素子６は、給気側の熱交換風路の外気吸込口６１ＯＡと給気吹出口６１ＳＡが、直方体形状の一方の対向する面に形成され、排気側の熱交換風路の還気吸込口６１ＲＡと排気吹出口６１ＥＡが、直方体形状の他方の対向する面に形成される。
【００８３】
熱交換素子６は、給気側の熱交換風路と排気側の熱交換風路が、熱伝導性を有すると共に空気を通さない隔壁で仕切られ、給気側の熱交換風路を通る空気と排気側の熱交換風路を通る空気との間で熱交換される。
【００８４】
熱交換型換気装置４Ａは、本体部５の上面に外気吸込口７ＯＡが形成され、外気吸込口７ＯＡにＯＡダクトジョイント７０ＯＡが取り付けられ、本体部５の上面に排気吹出口７ＥＡが形成され、排気吹出口７ＥＡにＥＡダクトジョイント７０ＥＡが取り付けられる。また、本体部５の上面に給気吹出口７ＳＡが形成され、給気吹出口７ＳＡにＳＡダクトジョイント７０ＳＡが取り付けられ、本体部５の上面に還気吸込口７ＲＡが形成され、還気吸込口７ＲＡにＲＡダクトジョイント７０ＲＡが取り付けられる。
【００８５】
熱交換型換気装置４Ａは、外気吸込口７ＯＡから熱交換素子６の側部に形成される空間を通って熱交換素子６の下面に形成される外気吸込口６１ＯＡと繋がり、熱交換素子６の上面に形成される給気吹出口６１ＳＡから給気ファン５ＳＡを通り給気吹出口７ＳＡと繋がる給気風路８ＳＡが本体部５内に形成される。
【００８６】
また、熱交換型換気装置４Ａは、還気吸込口７ＲＡから熱交換素子６の一方の側面に形成される還気吸込口６１ＲＡと繋がり、熱交換素子６の他方の側面に形成される排気吹出口６１ＥＡから排気ファン５ＥＡを通り排気吹出口７ＥＡと繋がる排気風路８ＥＡが本体部５内に形成される。
【００８７】
熱交換型換気装置４Ａは、外気吸込口７ＯＡと熱交換素子６の間の給気風路８ＳＡに、上述したフィルタ取付部１１を備える。また、捕集フィルタ１Ａが取り付けられるフィルタ取付部１１より下流側で熱交換素子６の手前に、塵や埃等を集塵する集塵フィルタ９が着脱可能に取り付けられる。
【００８８】
熱交換型換気装置４Ａは、本体部５の正面に、蓋部１５が開閉可能に備えられ、蓋部１５を開閉することで、上述したように捕集フィルタ１Ａの着脱が行われる。捕集フィルタ１Ａは、捕集部２０が上述したようにＶ字型に開く形態で給気風路８ＳＡ内に取り付けられることで、給気ファン５ＳＡで給気風路８ＳＡに吸い込まれた虫等の捕集対象物が捕集される。また、捕集フィルタ１Ａは、捕集部２０を給気風路８ＳＡ内で折り畳んでから本体部５より引き出されることで、捕集した虫等を露出させて飛散させることなく、捕集部２０の廃棄処理を可能にしている。
【００８９】
＜本実施の形態の換気装置の設置例＞
図３１は、本実施の形態の熱交換型換気装置が設置される建物の一例を示す模式的な構成図である。熱交換型換気装置４Ａは、建物１００に設けた設置室１０１に、捕集フィルタ１Ａを交換する際に開閉される蓋部１５の開閉、及び捕集フィルタ１Ａの交換等、本体部５内の所定のメンテナンスが可能な形態で設置される。
【００９０】
熱交換型換気装置４Ａは、ＯＡダクトジョイント７０ＯＡにＯＡダクト７１ＯＡが接続される。ＯＡダクト７１ＯＡは、建物１００の天井等に配置され、外壁に設けたＯＡ吸込グリル７２ＯＡと接続される。また、熱交換型換気装置４Ａは、ＥＡダクトジョイント７０ＥＡにＥＡダクト７１ＥＡが接続される。ＥＡダクト７１ＥＡは、建物１００の天井等に配置され、外壁に設けたＥＡ吹出グリル７２ＥＡと接続される。
【００９１】
更に、熱交換型換気装置４Ａは、ＳＡダクトジョイント７０ＳＡにＳＡダクト７１ＳＡが接続される。ＳＡダクト７１ＳＡは、建物１００の天井等に配置され、居室１０２の天井等に設けたＳＡ吹出グリル７２ＳＡと接続される。また、熱交換型換気装置４Ａは、ＲＡダクトジョイント７０ＲＡにＲＡダクト７１ＲＡが接続される。ＲＡダクト７１ＲＡは、建物１００の天井等に配置され、居室１０２の天井等に設けたＲＡ吸込グリル７２ＲＡと接続される。
【００９２】
熱交換型換気装置４Ａは、給気ファン５ＳＡが駆動されると、給気風路８ＳＡを通る空気の流れが生じ、ＯＡ吸込グリル７２ＯＡから外気ＯＡが吸い込まれる。ＯＡ吸込グリル７２ＯＡから吸い込まれた外気ＯＡは、ＯＡダクト７１ＯＡを通り外気吸込口７ＯＡから本体部５内に吸い込まれる。
【００９３】
外気吸込口７ＯＡから本体部５内に吸い込まれる外気ＯＡは、捕集フィルタ１Ａ及び集塵フィルタ９を通り、熱交換素子６に導入される。熱交換素子６に導入された外気ＯＡは、熱交換素子６を通り、給気吹出口７ＳＡから給気ＳＡとして吹き出される。給気吹出口７ＳＡから吹き出された給気ＳＡは、ＳＡダクト７１ＳＡを通り、ＳＡ吹出グリル７２ＳＡから居室１０２に吹き出される。
【００９４】
一方、熱交換型換気装置４Ａは、排気ファン５ＥＡが駆動されると、排気風路８ＥＡを通る空気の流れが生じ、ＲＡ吸込グリル７２ＲＡから居室１０２の空気である還気ＲＡが吸い込まれる。ＲＡ吸込グリル７２ＲＡから吸い込まれた還気ＲＡは、ＲＡダクト７１ＲＡを通り還気吸込口７ＲＡから本体部５内に吸い込まれる。
【００９５】
還気吸込口７ＲＡから本体部５内に吸い込まれる還気ＲＡは、熱交換素子６に導入される。熱交換素子６に導入された還気ＲＡは、熱交換素子６を通り、排気吹出口７ＥＡから排気ＥＡとして吹き出される。排気吹出口７ＥＡから吹き出された排気ＥＡは、ＥＡダクト７１ＥＡを通り、ＥＡ吹出グリル７２ＥＡから屋外に吹き出される。そして、熱交換素子６では、外気ＯＡと還気ＲＡの間で熱交換が行われることで、室温に近づけられた給気ＳＡが室内に吹き出され、温度が調整された新鮮な空気（外気ＯＡ）が室内に供給される。また、室内の汚れた空気が屋外に排気されて、室温の変動を抑えて換気が行われる。
【００９６】
＜本実施の形態の換気装置の他の構成例＞
図３２は、本実施の形態の換気装置の他の構成例を示す断面図である。換気装置４Ｂは、給気あるいは排気のみを行う中間ファン等と呼ばれる形態の換気装置で、換気ファン５０と風路５１を本体部５２に備える。風路５１には、換気ファン５０の上流側に上述したフィルタ取付部１１が設けられ、捕集フィルタ１Ａが着脱可能に取り付けられる。また、捕集フィルタ１Ａより下流側で換気ファン５０の手前に、塵や埃等を集塵する集塵フィルタ９が着脱可能に取り付けられる。
【００９７】
換気装置４Ｂは、本体部５２の上面に風路５１の吸込側と繋がる吸込口５３が形成され、吸込口５３に取り付けた吸込口ダクトジョイント５４に吸込ダクト５５が接続される。また、本体部５２の上面に風路５１の吹出側と繋がる吹出口５６が形成され、吹出口５６に取り付けた吹出口ダクトジョイント５７に吹出ダクト５８が接続される。
【００９８】
換気装置４Ｂでも、本体部５２の正面に、蓋部１５が開閉可能に備えられ、蓋部１５を開閉することで、上述したように捕集フィルタ１Ａの着脱が行われる。捕集フィルタ１Ａは、捕集部２０が上述したようにＶ字型に開く形態で風路５１内に取り付けられることで、換気ファン５０で風路５１に吸い込まれた虫等の捕集対象物が捕集される。また、捕集フィルタ１Ａは、捕集部２０を風路５１内で折り畳んでから本体部５２より引き出されることで、捕集した虫等を露出させて飛散させることなく、捕集部２０の廃棄処理を可能にしている。
【産業上の利用可能性】
【００９９】
本発明は、交換可能なフィルタを備えた換気装置に適用される。
【符号の説明】
【０１００】
１Ａ.・・・捕集フィルタ、１０・・・風路、１１・・・フィルタ取付部、１２・・・保持部、１３・・・展開部、１４・・・着脱口、２０・・・捕集部、２１ａ・・・第１の枠部、２１ｂ・・・第２の枠部、２２・・・フィルタ部、２３・・・捕集面、２３ａ・・・第１の捕集部、２３ｂ・・・第２の捕集部、２４・・・折り曲げ底部、２５・・・第１の折り曲げ側部、２６・・・第２の折り曲げ側部
【図１】
0005429072.tif 000002
【図２】
0005429072.tif 000003
【図３】
0005429072.tif 000004
【図４】
0005429072.tif 000005
【図５】
0005429072.tif 000006
【図６】
0005429072.tif 000007
【図７】
0005429072.tif 000008
【図８】
0005429072.tif 000009
【図９】
0005429072.tif 000010
【図１０】
0005429072.tif 000011
【図１１】
0005429072.tif 000012
【図１２】
0005429072.tif 000013
【図１３】
0005429072.tif 000014
【図１４】
0005429072.tif 000015
【図１５】
0005429072.tif 000016
【図１６】
0005429072.tif 000017
【図１７】
0005429072.tif 000018
【図１８】
0005429072.tif 000019
【図１９】
0005429072.tif 000020
【図２０】
0005429072.tif 000021
【図２１】
0005429072.tif 000022
【図２２】
0005429072.tif 000023
【図２３】
0005429072.tif 000024
【図２４】
0005429072.tif 000025
【図２５】
0005429072.tif 000026
【図２６】
0005429072.tif 000027
【図２７】
0005429072.tif 000028
【図２８】
0005429072.tif 000029
【図２９】
0005429072.tif 000030
【図３０】
0005429072.tif 000031
【図３１】
0005429072.tif 000032
【図３２】
0005429072.tif 000033